(57)【要約】【課題】ファンモータの振動をより抑えることができるファンモータの支持部材の提供。【解決手段】ファンモータ支持部材８０は、室内ファンモータ８１と、第１、第２及び第３防振部材本体８５１，８５２，８５３とを備える。室内ファンモータ８１は、クロスフローファン２２を駆動させる。第１〜第３防振部材本体８５１〜８５３は、室内ファンモータ８１の外周部に装着されることにより、室内ファンモータ８１の振動を吸収する。そして、第２防振部材本体８５２には、複数の突起７４１が形成されている。この複数の突起８７１は、室内ファンモータ８１の外周部側に突出しており、第２防振部材本体８５２が室内ファンモータ８１に装着された時に折れ曲がることにより、室内ファンモータ８１の軸心が所定位置に位置するような形状を有している。【選択図】図７
2008261598.tif 000002
【特許請求の範囲】
【請求項１】
ファン（２２）を駆動させるファンモータ（８１）と、
前記ファンモータ（８１）の外周部に装着されることにより前記ファンモータ（８１）の振動を吸収する防振部材本体（８５１，８５２，８５３）と、
を備え、
前記防振部材本体（８５１，８５２，８５３）には、前記ファンモータ（８１）の外周部側に突出しており、前記防振部材本体（８５１，８５２，８５３）が前記ファンモータ（８１）に装着された時に折れ曲がることにより前記ファンモータ（８１）の軸心が所定位置に位置するような形状を有する複数の突起（８７１）が形成されている、
ファンモータ支持部材（８０）。
【請求項２】
前記防振部材本体（８５１，８５２，８５３）と前記突起（８７１）とが一体形成されている、
請求項１に記載のファンモータ支持部材（８０）。
【請求項３】
前記突起（８７１）が折れ曲がり前記ファンモータ（８１）の軸心が前記所定位置に位置するまでの前記突起（８７１）と前記ファンモータ（８１）との接触面積は、前記ファンモータ（８１）の軸心が前記所定位置に位置した時の前記突起（８７１）と前記ファンモータ（８１）との接触面積よりも小さい、
請求項１または２に記載のファンモータ支持部材（８０）。
【請求項４】
前記突起（８７１’）の側面には、凹部（８７１ｃ’）が形成されている、
請求項１〜３のいずれかに記載のファンモータ支持部材（８０）。
【請求項５】
前記突起（８７１）は、前記防振部材本体（８５１，８５２，８５３）側の第１部分（８７１ａ）と、前記突起（８７１）の先端側の第２部分（８７１ｂ）とを有し、
前記突起（８７１）の前記第１部分（８７１ａ）の横断面は、前記突起（８７１）の前記第２部分（８７１ｂ）の横断面よりも面積が大きい、
請求項１〜３のいずれかに記載のファンモータ支持部材（８０）。
【請求項６】
請求項１〜５のいずれかに記載のファンモータ支持部材（８０）と、
前記ファンモータ支持部材（８０）の前記ファンモータ（８１）により駆動される前記ファン（２２）と、
前記ファン（２２）の回転により発生する空気流との間で熱交換を行う熱交換器（２１）と、
を備えた空気調和機（１）。
【発明の詳細な説明】
【技術分野】
【０００１】
本発明は、ファンモータ支持部材に関する。また、本発明は、ファンモータ支持部材を備えた空気調和機に関する。
【背景技術】
【０００２】
従来より、空気調和機の室内機等に備えられているファンの動力源として、ファンモータが用いられている。ファンモータは、主として、磁力で回転する回転子と、磁力を発生する固定子とを備えている。このようなファンモータでは、ファンモータの駆動時に回転むらやトルクむらが生じると、回転子からは固定子に、更に固定子からはファンモータを支持するための支持枠に回転方向の振動が伝達される。そして、支持枠に伝達された振動と固定子に伝達された振動とが互いに異なる位相で振動したり共振したりすると、異音が発生する場合がある。
【０００３】
そこで、特許文献１に開示されているように、ファンモータの振動を吸収するための防振部材をファンモータに装着させることで、振動が支持枠に伝達されることを抑制する技術が知られている。
【特許文献１】特開２００５−３０６８９号公報
【発明の開示】
【発明が解決しようとする課題】
【０００４】
特許文献１では、ファンモータの回転子の回転方向の剛性を小さくするための孔が防振部材の本体に設けられている。しかしながら、ファンモータの振動は、ファンモータの回転数やその時々の環境条件等により変化する。そのため、特許文献１では、ファンモータの振動を必ずしも吸収できるとは限らない。
【０００５】
そこで、本発明は、ファンモータの振動をより抑えることができるファンモータの支持部材の提供を目的とする。
【課題を解決するための手段】
【０００６】
発明１に係るファンモータ支持部材は、ファンモータと、防振部材本体とを備える。ファンモータは、ファンを駆動させる。防振部材本体は、ファンモータの外周部に装着されることにより、ファンモータの振動を吸収する。そして、防振部材本体には、複数の突起が形成されている。この複数の突起は、ファンモータの外周部側に突出しており、防振部材本体がファンモータに装着された時に折れ曲がることにより、ファンモータの軸心が所定位置に位置するような形状を有している。
【０００７】
このファンモータ支持部材では、防振部材本体がファンモータに装着されると、突起が例えば途中で折れ曲がり、ファンモータの軸心は所定位置に安定して位置されるようになる。従って、ファンモータの振動を抑えることができ、ファンモータの振動により発生する騒音を抑制することができる。
【０００８】
発明２に係るファンモータ支持部材は、発明１に係るファンモータ支持部材であって、防振部材本体と突起とは一体形成されている。
【０００９】
このファンモータ支持部材によると、防振部材本体と突起とは、例えばゴム等の同じ材質で形成される。これにより、防振部材本体と突起とを同時に形成することができ、製造コストを低減させることができる。
【００１０】
発明３に係るファンモータ支持部材は、発明１または２に係るファンモータ支持部材であって、突起が折れ曲がりファンモータの軸心が所定位置に位置するまでの突起とファンモータとの接触面積は、ファンモータの軸心が所定位置に位置した時の突起とファンモータとの接触面積よりも小さい。
【００１１】
このファンモータ支持部材によると、防振部材本体がファンモータに装着された場合、突起は、ファンモータに接触して折り曲がる。この時、突起は、折れ曲がる前のファンモータとの接触面積よりも広い面積を有する面でファンモータに接触するため、ファンモータは安定して固定される。
【００１２】
発明４に係るファンモータ支持部材は、発明１〜３のいずれかに係るファンモータ支持部材であって、突起の側面には、凹部が形成されている。
【００１３】
このファンモータ支持部材によると、防振部材本体がファンモータに装着された時、突起は、凹部側に折り曲がる。このように、突起に凹部が形成されることにより、突起の折れ曲がる方向を規定することができる。
【００１４】
発明５に係るファンモータ支持部材は、発明１〜３のいずれかに係るファンモータ支持部材であって、突起は、防振部材本体側の第１部分と、突起の先端側の第２部分とを有する。そして、突起の第１部分の横断面は、突起の第２部分の横断面よりも面積が大きい。
【００１５】
このファンモータ支持部材によると、防振部材本体がファンモータに装着された時、突起は、第２部分で折れ曲がる。このように、突起が第１部分及び第２部分からなる形状に形成されることにより、突起の折れ曲がる部分を規定することができる。
【００１６】
発明６に係る空気調和機は、ファンモータ支持部材と、ファンと、熱交換器を備える。ファンモータ支持部材は、発明１〜５のいずれかに係るファンモータ支持部材である。ファンは、ファンモータ支持部材のファンモータにより駆動される。熱交換器は、ファンの回転により発生する空気流との間で熱交換を行う。
【００１７】
この空気調和機によると、ファンモータの振動は抑えられるため、ファンモータの振動により発生する異音を抑制することができる。
【発明の効果】
【００１８】
発明１に係るファンモータ支持部材によると、ファンモータの振動を抑えることができるため、ファンモータの振動により発生する異音を抑制することができる。
【００１９】
発明２に係るファンモータ支持部材によると、防振部材本体と突起とを同時に形成することができ、製造コストを低減させることができる。
【００２０】
発明３に係るファンモータ支持部材によると、ファンモータを安定して固定することができる。
【００２１】
発明４に係るファンモータ支持部材によると、突起の折れ曲がる方向を規定することができる。
【００２２】
発明５に係るファンモータ支持部材によると、突起の折れ曲がる部分を規定することができる。
【００２３】
発明６に係る空気調和機によると、ファンモータの振動は抑えられるため、ファンモータの振動により発生する異音を抑制することができる。
【発明を実施するための最良の形態】
【００２４】
（１）空気調和機の構成
図１は、本発明の一実施形態に係る空気調和機の外観図である。この空気調和機１は、室内の壁面等に取り付けられている室内機２と、室外に設置されている室外機３とに分かれて構成されており、室内の冷房運転や暖房運転等を行うことができる。
【００２５】
室内機２の内部には室内熱交換器２１（後述）が収納され、室外機３の内部には室外熱交換器３４（後述）が収納されている。そして、これらの各熱交換器２１，３４が冷媒配管４を介して接続されることにより、冷媒回路が構成されている。
【００２６】
〔冷媒回路〕
図２は、空気調和機１で用いられる冷媒回路の系統図である。この冷媒回路は、主として、室内熱交換器２１、圧縮機３１、四路切換弁３２、アキュムレータ３３、室外熱交換器３４及び電動弁３５から構成されている。
【００２７】
室内熱交換器２１は、室内機２の内部に備えられているものであって、長手方向両端で複数回折り返されてなる伝熱管と、伝熱管が挿通される複数のフィンとからなり、接触する空気との間で熱交換を行う。例えば、この室内熱交換器２１は、冷房運転時には蒸発器として作用する。従って、冷房運転時、室内の空気が室内熱交換器２１に接触すると、空気中の水分は凝縮して水滴となり、室内熱交換器２１の下方に設けられたドレンパン（図示せず）に滴下する。これにより、室内の空気中の温度が低下する。また、暖房運転時には、室内熱交換器２１は凝縮器として機能する。従って、室内の空気は、凝縮器として機能する室内熱交換器２１に接触することで暖められる。また、本実施形態に係る室内機２は、室内熱交換器２１との間で熱交換が行われた後の空気を室内に吹き出させるための円筒状のクロスフローファン２２や、ファンモータ支持部材８０（図４）等を有しているが、これらの構成については、「（２）室内機２の構成」で詳述する。
【００２８】
圧縮機３１、四路切換弁３２、アキュムレータ３３、室外熱交換器３４及び電動弁３５は、室内機３の内部に備えられている。ここで、圧縮機３１は、冷媒回路中を流れる冷媒を圧縮するためのものである。四路切換弁３２は、圧縮機３１の吐出側に接続されている他、ガス閉鎖弁３８を介して冷媒配管４における配管４ｂと接続されており、この配管４ｂを介して室内熱交換器２１の他端と接続されている。アキュムレータ３３は、圧縮機３１の吸入側に接続されており、室外熱交換器３４は、四路切換弁３２に接続されている。電動弁３５は、室外熱交換器３４に接続されている他、フィルタ３６及び液閉鎖弁３７を介して冷媒配管４における配管４ａに接続されており、この配管４ａを介して室内熱交換器２１の一端と接続されている。
【００２９】
また、室外機３内には、プロペラファン３９が設けられている。プロペラファン３９は、室外熱交換器３４での熱交換後の空気を外部に排出するためのものであって、室外ファンモータ４０により回転駆動される。
【００３０】
（２）室内機の構成
室内機２は、図１及び図３に示すように、正面視において横方向に長い形状を有しており、主に上部ケーシング６及び下部ケーシング７により構成されている。尚、以下では、例えば室内機２の「上部」のように、「上」、「下」、「前」「後」等の方向を示す表現を適宜用いているが、これらは室内機２が図１に示すように室内の壁に取り付けられ、通常使用される状態での各方向を表す。
【００３１】
〔上部ケーシング〕
上部ケーシング６は、図３に示すように、室内機２の上部を覆っており、吸い込み口６０，６１が設けられている。そして、上部ケーシング６の内部には、室内熱交換器２１が設けられている。室内熱交換器２１は、クロスフローファン２２の円周面に対向して配置されており、クロスフローファン２２の前方、上方及び後方を取り囲むように取り付けられている。このような室内熱交換器２１では、クロスフローファン２２を回転させることで、吸い込み口６０，６１から吸い込まれた空気と冷媒との熱交換が行われる。
【００３２】
〔下部ケーシング〕
下部ケーシング７は、図３に示すように、外面部７１と、支持枠７４等によって構成されている。
【００３３】
外部面７１は、正面視において室内機２の外面として視野に現れる部分である。また、外面部７１には、室内機２の長手方向に沿う開口からなる吹き出し口７２が設けられている。吹き出し口７２からは、クロスフローファン２２によって生成された空気流が室内へと吹き出される。また、吹き出し口７２には、吹き出される空気流を案内する水平フラップ７３が設けられている。水平フラップ７３は、室内機２の長手方向に平行な軸を中心に回動自在に設けられている。この水平フラップ７３は、図示しないフラップモータによって回転駆動され、吹き出し口７２を開閉する。
【００３４】
支持枠７４は、外面部７１によって囲まれている。このような支持枠７４には、図４に示すように、送風ユニット８等が取り付けられている。
【００３５】
〔送風ユニット〕
送風ユニット８は、図４に示すように、クロスフローファン２２と、電装品ボックス７５と、ファンモータ支持部材８０とを有している。尚、電装品ボックス７５には、室内機２における各機能部を制御するための制御部等が収納されている。
【００３６】
〔クロスフローファン〕
クロスフローファン２２は、ＡＳ樹脂などの樹脂で形成されたものであって、既に述べたように、細長い円筒形状に構成されている。そして、クロスフローファン２２は、図４に示すように、中心軸すなわち回転軸Ａ１が水平となるように配置されている。また、このクロスフローファン２２は、図４及び図５に示すように、エンドプレート７１０，７１１、第１シャフト７１２、第２シャフト７１３及び羽部７１４を有している。
【００３７】
エンドプレート７１０，７１１は、羽部７１４の両側に設けられている。エンドプレート７１０は、クロスフローファン２２と回転子８１１（後述）とを連結するためのものであって、回転子８１１と一体に形成されている。第１シャフト７１２は、エンドプレート７１０の回転軸線上に配置され、エンドプレート７１０に連結されている。第２シャフト７１３は、エンドプレート７１１の回転軸線上に配置され、エンドプレート７１１に連結されている。このような第１シャフト７１２及び第２シャフト７１３は、クロスフローファン２２が回転する際の回転軸Ａ１となる。また、羽部７１４は、エンドプレート７１０，７１１の間に配置されており、回転軸Ａ１と交わる方向に空気流を生成する。
【００３８】
〔ファンモータ支持部材〕
ファンモータ支持部材８０は、図５に示すように、室内ファンモータ８１と、防振部材８２とを備える。
【００３９】
〔室内ファンモータ〕
室内ファンモータ８１は、クロスフローファン２２を回転駆動させる。また、この室内ファンモータ８１は、アウタ・ロータ型のモータであって、回転子８１１と固定子組立体８１２とを有している。
【００４０】
回転子８１１は、微小な磁石粒を含む樹脂材料により形成されており、固定子組立体８１２の固定子８２１（後述）の径方向外側に配置されている。回転子８１１は、固定子８２１から発生する磁力により回転する。
【００４１】
固定子組立体８１２は、図５及び図６に示すように、固定子８２１と、固定子ハウジング８３１と、固定子軸受け８４１とを有する。
【００４２】
固定子８２１は、軸方向に突出する円柱部８２２と、円柱部８２２の径方向外側に突出した突出部８２３とを有する。円柱部８２２は、磁界を発生させるための鉄芯（図示せず）やコイル（図示せず）等を収納しており、図５に示すように、回転子８１１の内周面と一定の隙間を保って配置される。また、突出部８２３には防振部材８２が装着される。
【００４３】
固定子ハウジング８３１は、固定子８２１を支持するためのものであって、図５及び図６に示すように、固定子ケース８３１ａと固定子カバー８３１ｂとを有する。固定子ケース８３１ａは、突出部８２３に防振部材８２が装着された状態にある固定子８２１を収納可能な形状を有する。固定子カバー８３１ｂは、固定子ケース８３１ａと対向する方向から固定子ケース８３１ａに収納された固定子８２１を覆う役割を担う。
【００４４】
固定子軸受け８４１は、クロスフローファン２２の第１シャフト７１２を支持するための部材であって、図５に示すように、軸受け部８４１ａと軸受け保持部８４１ｂとで構成されている。軸受け部８４１ａは、合成樹脂で形成されており、固定子８２１のほぼ中央部に配置される。軸受け保持部８４１ｂは、円筒形状に形成されており、クロスフローファン２２の回転による軸受け部８４１ａの微小振動を抑制するため、軸受け部８４１ａを包み込むように支持する。
【００４５】
〔防振部材〕
防振部材８２は、室内ファンモータ８１の固定子８２１の外周部、より具体的には固定子８２１の突出部８２３に装着されることにより、室内ファンモータ８１の振動を吸収するためのものであって、図６及び図７に示すように、第１防振部材本体８５１，第２防振部材本体８５２、第３防振部材本体８５３及び連結部８５４を有する。
【００４６】
各防振部材本体８５１〜８５３は、それぞれ凹状の形状に形成されている。より具体的には、各防振部材本体８５１〜８５３は、それぞれ開口部８６１ａ，８６２ａ，８６３ａ、底面部８６１ｂ，８６２ｂ，８６３ｂ、短側面部８６１ｃ，８６２ｃ，８６３ｃ、及び長側面部８６１ｄ，８６２ｄ，８６３ｄとで形成されている。また、各防振部材本体８５１〜８５３の短側面部８６１ｃ〜８６３ｃには、円周方向の剛性を小さくするための空洞部８６１ｅ，８６２ｅ，８６３ｅがそれぞれ形成されている。このような構成を有する各防振部材本体８５１〜８５３は、既に述べたように、室内ファンモータ８１の突出部８２３それぞれに装着されるが、特に第２防振部材本体８５２は、図６に示すように、組み立て後にほぼ鉛直下方に位置する突出部８２３に装着される。
【００４７】
また、各防振部材本体８５１〜８５３のうち、第２防振部材本体８５２の内部には、図７に示すように、複数の突起８７１が形成されている。突起８７１は、底面部８６２ｂから室内ファンモータ８１の外周部側に突出しており、第２防振部材本体８５２が室内ファンモータ８１に装着された時に折れ曲がることにより、室内ファンモータ８１の軸心が所定位置に位置するような形状を有している。
【００４８】
ここで、本実施形態に係る突起８７１について、具体的に説明する。複数の突起８７１は、図８に示すように、第２防振部材本体８５２側の第１部分８７１ａと、先端部側の第２部分８７１ｂとを有している。例えば、突起８７１の高さが約３mmであるとした場合、第１部分８７１ａの高さは約２mm、第２部分８７１ｂの高さは約１mmである。また、第１部分８７１ａの横断面の面積は、第２部分８７１ｂの横断面の面積よりも大きい。
【００４９】
このような突起８７１を有する第２防振部材本体８５２が室内ファンモータ８１に装着された時、室内ファンモータ８１には鉛直方向（即ち、図７の矢印方向）に重力がかかるため、複数の突起８７１は、室内ファンモータ８１に圧接された状態となる。すると、図９に示すように、複数の突起８７１のうち、第２部分８７１ｂに対し面積が小さい第１部分８７１ａは折れ曲がり、第１部分８７１ａは、室内ファンモータ８１の外周部に接するようになる。この時、室内ファンモータ８１と接している突起８７１の接触面積は、所定位置に位置するまでの室内ファンモータ８１と接していた突起８７１の接触面積よりも大きい。即ち、突起８７１が室内ファンモータ８１と接する接触面積は、室内ファンモータ８１が所定位置に位置した時に最大となる。これにより、室内ファンモータ８１は、防振部材８２により安定して固定される。
【００５０】
尚、複数の突起８７１の高さは、室内ファンモータ８１の自重に基づいて決定される。また、互いに隣り合う突起８７１の間隔は、突起８７１が折れ曲がった場合の形状により決定される。
【００５１】
連結部８５４は、図６及び７に示すように、第１防振部材本体８５１と第２防振部材本体８５２、第２防振部材本体８５２と第３防振部材本体８５３をそれぞれ連結する。
【００５２】
また、各防振部材本体８５１〜８５３，連結部８５４及び複数の突起８７１は、室内ファンモータ８１の振動を吸収可能な材質で、一体形成されている。ここで、振動を吸収可能な材質としては、例えばゴムや樹脂等が挙げられる。また、防振部材８２の材質としてゴムが採用された場合、ゴムは、室内ファンモータ８１に合わせて変形可能な硬度を有する。ゴムの硬度としては、例えば約３０度が挙げられる。
【００５３】
（３）クロスフローファン及び回転子の回転が各部に及ぼす影響
次いで、クロスフローファン２２及び室内ファンモータ８１の回転子８１１が回転した時に、クロスフローファン２２及び回転子８１１が室内機２の各機能部に及ぼす影響について説明する。
【００５４】
クロスフローファン２２及び回転子８１１が第１シャフト７１２及び第２シャフト７１３を中心に回転すると、クロスフローファン２２及び回転子８１１の回転に伴う微小振動は、第１シャフト７１２及び第２シャフト７１３に伝達される。更に、この微小振動は、第１シャフト７１２から固定子軸受け８４１に伝達されるが、固定子軸受け８４１において第１シャフト７１２を軸支する軸受け部８４１ａによって抑制される。また、第２シャフト７１３に伝達された微小振動においても、第１シャフト７１２に伝達された微小振動と同様、第２シャフト７１３を軸支する軸受け部（図示せず）により抑制される。
【００５５】
尚、第１シャフト７１２側の軸受け部８４１ａにより抑制しきれなかった振動については、固定子軸受け８４１から固定子８２１に伝達されるが、この振動は、固定子８２１の突出部８２３に取り付けられた防振部材８２の、特に第２防振部材本体８５２の内側の複数の突起８７１により吸収され抑制される。
【００５６】
（４）効果
（Ａ）
このファンモータ支持部材８０では、各防振部材本体８５１〜８５３が室内ファンモータ８１に装着されると、第２防振部材本体８５２の内側に形成された複数の突起８７１が例えば途中で折れ曲がり、室内ファンモータ８１の軸心は所定位置に安定して位置されるようになる。従って、室内ファンモータ８１の振動を抑えることができ、室内ファンモータ８１の振動により発生する騒音を抑制することができる。
【００５７】
（Ｂ）
また、ファンモータ支持部材８０における各防振部材本体８５１〜８５３、連結部８５４、及び複数の突起８７１は、例えばゴム等の同じ材質で形成される。これにより、各防振部材本体８５１〜８５３、連結部８５４及び突起８７１を同時に形成することができ、製造コストを低減させることができる。
【００５８】
（Ｃ）
また、本実施形態に係るファンモータ支持部材８０によると、各防振部材本体８５１〜８５３が室内ファンモータ８１に装着された場合、複数の突起８７１は、室内ファンモータ８１に接触して折り曲がる。この時、複数の突起８７１は、折れ曲がる前の室内ファンモータ８１との接触面積よりも広い面積を有する面で室内ファンモータ８１に接触するため、室内ファンモータ８１は安定して固定される。
【００５９】
（Ｄ）
また、各突起８７１は、各防振部材本体８５１〜８５３側の第１部分８７１ａと、突起８７１の先端側の第２部分８７１ｂとを有する。そして、突起８７１の第１部分８７１ａの横断面は、突起８７１の第２部分８７１ｂの横断面よりも面積が大きい。これにより、各防振部材本体８５１〜８５３が室内ファンモータ８１に装着された時、各突起８７１は、第２部分８７１ｂで折れ曲がる。このように、突起８７１が第１部分８７１ａ及び第２部分８７１ｂからなる形状に形成されることにより、各突起８７１の折れ曲がる部分を規定することができる。
【００６０】
（Ｅ）
また、本実施形態に係るファンモータ支持部材８０を空気調和機１に採用することにより、室内ファンモータ８１の振動は抑えられるため、室内ファンモータ８１の振動に起因する異音を抑制することができる。
【００６１】
＜その他の実施形態＞
（ａ）
上記実施形態では、図８に示すように、第２防振部材本体８５２の内側に形成された複数の突起８７１が、互いに面積の異なる第１部分８７１ａ及び第２部分８７１ｂを有する場合について説明した。しかし、本発明に係る突起は、防振部材８２が室内ファンモータ８１に装着された時に室内ファンモータ８１の軸心が所定位置に位置するような形状を有していればよいため、図８に示すような形状に限定されない。
【００６２】
その他の突起の形状としては、例えば図１０に示すように、側面に凹部８７１ｃ’が形成されたものが挙げられる。このように、複数の突起８７１’の側面に凹部が形成されていると、各防振部材本体８５１〜８５３が室内ファンモータ８１に装着された時、複数の突起８７１’のそれぞれは、凹部側に折り曲がる。このように、突起８７１’の側面に凹部が形成されることにより、各突起８７１’の折れ曲がる方向を規定することができる。
【００６３】
（ｂ）
上記実施形態では、室内ファンモータ８１がアウタ・ロータ型である場合について説明したが、室内ファンモータ８１は、例えばインナ・ロータ型であってもよい。即ち、本発明に係る室内ファンモータは、複数の突起８７１を有する防振部材８２が装着可能な形状を有し、各突起８７１により振動吸収を行うことができるタイプであれば、どのようなモータであってもよい。
【００６４】
（ｃ）
上記実施形態では、第２防振部材本体８５２にのみ複数の突起８７１が形成されている場合について説明したが、複数の突起８７１は、第２防振部材本体８５２だけではなく、第１防振部材本体８５１や第３防振部材本体８５３にも更に形成されてもよい。
【産業上の利用可能性】
【００６５】
本発明に係るファンモータ支持部材は、例えば空気調和機の室内ファンモータなどのように、振動が生じるファンモータにおいて、ファンモータの振動を抑え異音の発生を抑制するための支持部材として有用である。
【図面の簡単な説明】
【００６６】
【図１】本実施形態に係る空気調和機の外観図。
【図２】冷媒回路の系統図。
【図３】本実施形態に係る空気調和機の室内機の右側面縦断面図。
【図４】送風ユニットの概略平面図。
【図５】クロスフローファン及び室内ファンモータのＸ−Ｘ断面図。
【図６】固定子組立体の分解斜視図。
【図７】本実施形態に係る防振部材の断面図。
【図８】本実施形態に係る防振部材の内側に形成された突起の拡大図。
【図９】（ａ）は、本実施形態に係る防振部材が室内ファンモータに装着された場合の、室内ファンモータを示す図であって、（ｂ）は、突起の折れ曲がる状態を示す拡大図。
【図１０】その他の実施形態（ａ）に係る防振部材の内側に形成された突起の拡大図。
【符号の説明】
【００６７】
１  空気調和機
２  室内機
３  室外機
２１  室内熱交換器
２２  クロスフローファン
３４  室外熱交換器
３９  プロペラファン
４０  室外ファンモータ
８０  ファンモータ支持部材
８１  室内ファンモータ
８２  防振部材
８１１  回転子
８１２  回転子組立体
８２１  固定子
８２３  突出部
８５１  第１防振部材本体
８５２  第２防振部材本体
８５３  第３防振部材本体
８５４  連結体
８７１，８７１’  突起
８７１ａ  第１部分
８７１ｂ  第１部分
８７１ｃ’凹部
【図１】
2008261598.tif 000003
【図２】
2008261598.tif 000004
【図３】
2008261598.tif 000005
【図４】
2008261598.tif 000006
【図５】
2008261598.tif 000007
【図６】
2008261598.tif 000008
【図７】
2008261598.tif 000009
【図８】
2008261598.tif 000010
【図９】
2008261598.tif 000011
【図１０】
2008261598.tif 000012